(57)【要約】【課題】プロジェクタ全体の小型化を図ることができ、さらに内蔵される冷却対象を効率的に冷却することができるプロジェクタを提供する。【解決手段】内部を冷却する冷却装置を備え、冷却装置は、外装筐体に設けられた吸気口から、外気を吸気する２つのシロッコファン６５，６６と、外気を吸気口から２つのシロッコファン６５，６６に導く１つの吸気口側ダクト６１とを備え、２つのシロッコファン６５，６６は、それぞれの回転軸６５Ａ，６６Ａ同士を交差させるように配置され１つの吸気口側ダクト６１に取り付けられている。【選択図】図７
2008242135.tif 000002
【特許請求の範囲】
【請求項１】
光源から射出された光束を画像情報に応じて変調して拡大投射する画像投射装置と、外気を内部に導入する吸気口を有し前記画像投射装置を内部に収納する外装筐体とを備えたプロジェクタであって、
前記吸気口を介して導入した外気により前記外装筐体の内部を冷却する冷却装置を備え、
前記冷却装置は、ファン回転軸に沿って取り込んだ空気を回転接線方向に沿って吐出する第１シロッコファンおよび第２シロッコファンと、
前記吸気口を介して導入された外気を、前記第１シロッコファンおよび前記第２シロッコファンに導く１つの吸気口側ダクトとを備え、
前記第１シロッコファンおよび前記第２シロッコファンは、それぞれの回転軸同士を交差させるように配設されていることを特徴とするプロジェクタ。
【請求項２】
請求項１に記載のプロジェクタにおいて、
前記吸気口側ダクトの内部には、前記第１シロッコファンおよび前記第２シロッコファンのそれぞれに対しての流路を形成する仕切り壁部が設けられていることを特徴とするプロジェクタ。
【請求項３】
請求項１または請求項２に記載のプロジェクタにおいて、
前記冷却装置は、前記画像投射装置に対して、前記画像投射装置の投射方向とは反対側の位置に配設され、
前記第１シロッコファンは、取り込んだ空気を前記画像投射装置側に向けて吐出するように配設され、
前記第２シロッコファンは、取り込んだ空気を前記投射方向と略直交する方向に吐出するように配設されていることを特徴とするプロジェクタ。
【請求項４】
請求項３に記載のプロジェクタにおいて、
前記画像投射装置は、前記画像投射装置の投射方向側に、投射される光学像の位置を調整する投射位置調整装置を備えることを特徴とするプロジェクタ。
【発明の詳細な説明】
【技術分野】
【０００１】
本発明は、プロジェクタに関する。
【背景技術】
【０００２】
従来、光源から射出された光束を画像情報に応じて変調して拡大投射する画像投射装置を備えたプロジェクタが知られている。
この種のプロジェクタは、発熱する装置（例えば、液晶パネルや電源装置等の冷却対象）を内蔵しており、各種の装置を正常に動作させるために、このような発熱する装置（冷却対象）を冷却することが求められている。そこで、この種のプロジェクタでは、外装筐体の内部における冷却対象を冷却するための冷却ファンを備える（例えば、特許文献１および特許文献２参照）。
【０００３】
【特許文献１】特開２００６−７２０３７号公報
【特許文献１】特開２００６−３４３５６６号公報
【発明の開示】
【発明が解決しようとする課題】
【０００４】
ところが、特許文献１に記載のプロジェクタでは、上述したような冷却対象を１つの冷却ファンにより冷却するように構成しているので、冷却ファンの容量を大きくしなければならず、プロジェクタ全体として嵩張る問題が指摘されていた。
また、特許文献２に記載のプロジェクタでは、光学系と重畳するように冷却ファンを設けているので、光学系と外装筐体との間のスペースを確保しなければならず、プロジェクタ全体として嵩張る問題が指摘されていた。
【０００５】
本発明は、このような事情に鑑みなされたものであって、その目的は、プロジェクタ全体の小型化を図ることができ、さらに、内蔵される冷却対象を効率的に冷却することができるプロジェクタを提供することにある。
【課題を解決するための手段】
【０００６】
上述した課題を解決するための手段として、本発明に係るプロジェクタは、光源から射出された光束を画像情報に応じて変調して拡大投射する画像投射装置と、外気を内部に導入する吸気口を有し前記画像投射装置を内部に収納する外装筐体とを備えたプロジェクタであって、前記吸気口を介して導入した外気により前記外装筐体の内部を冷却する冷却装置を備え、前記冷却装置は、ファン回転軸に沿って取り込んだ空気を回転接線方向に沿って吐出する第１シロッコファンおよび第２シロッコファンと、前記吸気口を介して導入された外気を、前記第１シロッコファンおよび前記第２シロッコファンに導く１つの吸気口側ダクトとを備え、前記第１シロッコファンおよび前記第２シロッコファンは、それぞれの回転軸同士を交差させるように配設されていることを特徴とする。
【０００７】
このプロジェクタによれば、２つの第１シロッコファンおよび第２シロッコファンによって冷却風を発生させることができるので、従前に比して小型に設計したシロッコファンを用いることができる。これによって、２つの第１シロッコファンおよび第２シロッコファンにより、吸引風力（冷却能力）を維持することができながら、全体的な嵩張りを減らすことができる。
【０００８】
また、第１シロッコファンおよび第２シロッコファンは、それぞれの回転軸同士を交差させるように配設されているので、冷却風としての外気を様々な方向に向けて吐出することができる。これによって、冷却風を導くために配設される、シロッコファンからプロジェクタ内の様々な位置に配置された冷却対象までのダクトを短くすることができ、全体的な嵩張りを抑えることができる。
したがって、プロジェクタ全体の小型化を図ることができながら、内蔵される冷却対象を効率的に冷却することができる。
【０００９】
また、本発明に係るプロジェクタは、上述のプロジェクタにおいて、前記吸気口側ダクトは、内部に外気を導入する略直方体状の中空部材を有し、前記中空部材の互いに交差する第１側壁部および第２側壁部には、内部に導入された外気を、前記第１シロッコファンおよび前記第２シロッコファンに導出する第１導出口および第２導出口がそれぞれ形成され、前記第１シロッコファンおよび前記第２シロッコファンは、前記第１導出口および前記第２導出口のそれぞれと対向するように配設されていることが好ましい。
【００１０】
このプロジェクタによれば、中空部材の互いに交差する第１側壁部および第２側壁部には、シロッコファンに導出する第１導出口および第２導出口がそれぞれ形成され、第１シロッコファンおよび第２シロッコファンは、第１導出口および第２導出口のそれぞれと対向するように配設されているので、冷却風を様々な方向に向けて吐出することができながら、全体的な嵩張りを抑えることができる。
【００１１】
また、本発明に係るプロジェクタは、上述のプロジェクタにおいて、前記吸気口側ダクトの内部には、前記第１シロッコファンおよび前記第２シロッコファンのそれぞれに対しての流路を形成する仕切り壁部が設けられていることが好ましい。
このプロジェクタによれば、吸気口側ダクトの内部には、２つのシロッコファンのそれぞれに対しての流路を形成する仕切り壁部が設けられているので、２つのシロッコファン同士の互いの冷却能力を異にする場合や、冷却対象に吹き当てる風量を適宜設定したい場合であっても、その冷却能力や所望吹き当て風量にあわせて、吸気口側ダクト内部の領域を設定することができる。したがって、冷却対象をより効率的に冷却することができる。
【００１２】
また、本発明に係るプロジェクタは、上述のプロジェクタにおいて、前記冷却装置は、前記画像投射装置に対して、前記画像投射装置の投射方向とは反対側の位置に配設され、前記第１シロッコファンは、取り込んだ空気を前記画像投射装置側に向けて吐出するように配設され、前記第２シロッコファンは、取り込んだ空気を前記投射方向と略直交する方向に吐出するように配設されていることが好ましい。
【００１３】
このプロジェクタによれば、冷却装置は、画像投射装置に対して画像投射装置の投射方向とは反対側の位置に配設され、第１シロッコファンは取り込んだ空気を画像投射装置側に向けて吐出するように配設され、第２シロッコファンは取り込んだ空気を投射方向と略直交する方向に吐出するように配設されているので、第１シロッコファンによって発生させた冷却風を、冷却対象となる画像投射装置側に導き易いものにし、第２シロッコファンによって発生させた冷却風を、投射方向と略直交する方向に存する冷却対象となるランプ駆動回路側に導き易いものにする。これによって、冷却風を導くためのダクトの嵩みを減らすことができ、プロジェクタ全体の小型化を図ることができる。
【００１４】
また、本発明に係るプロジェクタは、上述のプロジェクタにおいて、前記画像投射装置は、前記画像投射装置の投射方向側に、投射される光学像の位置を調整する投射位置調整装置を備えることが望ましい。
このプロジェクタによれば、画像投射装置の投射方向側に、投射される光学像の位置を調整する投射位置調整装置が配設されているので、投射方向側に冷却装置を配置するとプロジェクタが大型化してしまう。投射位置調整装置を備えるプロジェクタにおいて上述の構成とすることにより、さらに効果的にプロジェクタの小型化を図ることができる。
【発明を実施するための最良の形態】
【００１５】
以下、本発明に係るプロジェクタの実施の形態について、図面を参照しながら説明する。図１は、プロジェクタ１の外観を模式的に示す外観模式図である。図２は、プロジェクタ１の内部を示す内部斜視図である。なお、以下においては、説明の便宜上、プロジェクタ１からの画像光の投射方向をＺ軸とし、該Ｚ軸に直交する２つの軸をそれぞれＸ軸（水平軸）およびＹ軸（鉛直軸）とする。以下の図も同様である。
【００１６】
プロジェクタ１は、光源から射出された光束を画像情報に応じて変調して光学像（画像光）を形成し、形成した光学像をスクリーンに拡大投射するものである。
プロジェクタ１は、図１および図２に示すように、外装筐体２、画像投射装置Ｇ、電源ユニット５、冷却装置６、ランプ駆動回路（バラスト）７、排気ファンユニット８、および図示しない制御基板等を備えて大略構成される。また、画像投射装置Ｇは、投射レンズ３、光学ユニット４を備えて構成される。なお、図示しない制御基板は、光学ユニット４、電源ユニット５、冷却装置６、ランプ駆動回路（バラスト）７、および排気ファンユニット８と電気的に接続され、これらを制御する。
【００１７】
外装筐体２は、図１および図２に示すように、略直方体形状を有する箱状の筐体で構成される。外装筐体２は、プロジェクタ１における天面（＋Ｙ軸方向側の面）部分、前面（＋Ｚ軸方向側の面）部分、側面（Ｘ軸方向に交差する各面）部分、および背面（−Ｚ軸方向側の面）部分を形成するアッパーケース２１と、プロジェクタ１における底面（−Ｙ軸方向側の面）部分を形成するロアーケース２２とを備える。
【００１８】
図１に示すように、外装筐体２の前面部分には、投射レンズ３からスクリーンに画像光を投射可能にした前面開口部２１１が設けられている。また、外装筐体２の天面部分には、投射位置調整装置３１の操作ダイアル３２を露出する第１操作用開口部２１２Ａが設けられているとともに、画像調整部３３を露出する第２操作用開口部２１２Ｂが設けられている。
【００１９】
さらに、外装筐体２の側面部分の−Ｚ軸方向側には、プロジェクタ１内部に外気を吸入するために開口した吸気口２１３が設けられている。なお、この吸気口２１３には、図２に示すように、吸気口２１３を介してプロジェクタ１（外装筐体２）内部に異物が侵入することを防止する除塵フィルタ２１４が、取り付けられている。
【００２０】
投射レンズ３は、具体的な図示を省略するが、複数のレンズと、この複数のレンズを収納する筒状の鏡筒とで構成され、光学ユニット４により形成されたカラー画像を拡大投射する。投射レンズ３は、前記複数のレンズを投射方向（＋Ｚ軸方向）と直交する平面内で移動させて投射される光学像の位置を調整する投射位置調整装置３１を備える。また、鏡筒は、筒状軸を中心として回転することで前記複数のレンズの相対位置を変更可能に構成され、筒状軸を回転させる画像調整部３５を備える。
【００２１】
図３は、プロジェクタを模式的に示す模式図であり、特に光学ユニット４の光学系について詳細に示している。
光学ユニット４は、図３に示すように、平面視略Ｌ字形状を有し、前記制御基板による制御の下、光源装置から射出された光束を光学的に処理して画像情報に対応したカラー画像を形成するユニットである。
この光学ユニット４は、図３に示すように、光源装置４１と、均一照明光学装置４２と、色分離光学装置４３と、リレー光学装置４４と、光学装置４５と、光学部品用筐体４６とを備える。
【００２２】
光源装置４１は、前記制御基板による制御の下、均一照明光学装置４２に向けて光束を射出する。この光源装置４１は、図３に示すように、光源としての光源ランプ４１１およびリフレクタ４１２を有する光源装置本体４１Ａと、平行化レンズ４１３と、これら各部材４１１〜４１３を内部に収納して一体化するハウジング部材４１４とを備えて構成される。
【００２３】
均一照明光学装置４２は、光源装置４１から射出された光束を、光学装置４５を構成する光変調装置としての液晶パネル４５１の画像形成領域に略均一に照明するための光学系である。この均一照明光学装置４２は、図３に示すように、第１レンズアレイ４２１と、第２レンズアレイ４２２と、偏光変換素子４２３と、重畳レンズ４２４とを備える。また、フィールドレンズ４２５は、第２レンズアレイ４２２から射出された各部分光束をその中心軸（主光線）に対して平行な光束に変換する。
【００２４】
色分離光学装置４３は、図３に示すように、２枚のダイクロイックミラー４３１，４３２と、反射ミラー４３３とを備え、ダイクロイックミラー４３１，４３２により均一照明光学装置４２から射出された複数の部分光束を、赤、緑、青の３色の色光に分離する機能を有している。ダイクロイックミラー４３１では、赤色光が分離され、赤色光は反射ミラー４３３で反射されて液晶パネル４５１Ｒへ導かれる。ダイクロイックミラー４３２では緑色光と青色光が分離され、緑色光は液晶パネル４５１Ｇへ導かれる。
【００２５】
リレー光学装置４４は、図３に示すように、入射側レンズ４４１、リレーレンズ４４３、および反射ミラー４４２，４４４を備え、色分離光学装置４３で分離された青色光を光学装置４５の液晶パネル４５１Ｂまで導く機能を有している。
【００２６】
光学装置４５は、入射した光束を画像情報に応じて変調して画像光（カラー画像）を形成するものである。この光学装置４５は、図３に示すように、光変調装置としての３枚の液晶パネル４５１（赤色光用の液晶パネルを４５１Ｒ、緑色光用の液晶パネルを４５１Ｇ、青色光用の液晶パネルを４５１Ｂとする）と、各液晶パネル４５１の光束入射側および光束射出側にそれぞれ配置される入射側偏光板４５２および射出側偏光板４５３と、色合成光学装置としてのクロスダイクロイックプリズム４５４とを備える。
【００２７】
電源ユニット５は、プロジェクタ１を構成する各構成部材（例えば、光源ランプ４１１、前記制御基板等）に電力を供給するものであり、光学ユニット４のＬ字内側部分に配設される。
また、ランプ駆動回路（バラスト）７は、光源装置４１を構成する光源ランプ４１１を駆動させる回路であり、平面視略Ｌ字形状に構成された光学ユニット４の外側に配設される。
また、排気ファンユニット８は、プロジェクタ１内部に滞留する温められた空気を吸気し、外装筐体２に設けられた排気口（不図示）を介してプロジェクタ１外部に排気するものであり、詳細については図示しないが、軸流ファンとダクトとを備えて構成される。
【００２８】
図４は、プロジェクタ１の内部を示す内部斜視図であり、図２の内部斜視図のうち投射レンズ３および光学ユニット４を取り外した内部を示している。
冷却装置６は、図４に示すように、外気を吸気口２１３からプロジェクタ１内部に、冷却風として導入し、その冷却風としての外気を、プロジェクタ１内部に設けられた冷却対象に吹き当てて冷却するものである。なお、この冷却装置６の冷却対象としては、光学装置４５の入射側偏光板４５２および射出側偏光板４５３を含む液晶パネル４５１（４５１Ｒ，４５１Ｇ，４５１Ｂ）側、ランプ駆動回路７、および偏光変換素子４２３である。
【００２９】
図５は、冷却装置６の拡大斜視図である。図６は、吸気口側ダクトの分解斜視図である。図７は、吸気口側ダクトおよびシロッコファンの分解斜視図である。
冷却装置６は、図５および図６に示すように、外装筐体２の吸気口２１３と連通状態で接続される１つの吸気口側ダクト６１と、この吸気口側ダクト６１に接続される２つのシロッコファン６５，６６と、この２つのシロッコファン６５，６６からの冷却風を冷却対象に導く２つの吐出側ダクト６７，６８（図５参照）とを備えて構成される。
【００３０】
吸気口側ダクト６１は、図６に示すように、吸気口側ダクト部材６２と、中空部材としてのファン側ダクト部材６３とを連結して構成される。なお、吸気口側ダクト部材６２と、ファン側ダクト部材６３とは、適宜の連結ピンを介して連結されることにより一体化され、吸気口側ダクト６１を構成する。
【００３１】
吸気口側ダクト部材６２は、外装筐体２に設けられた吸気口２１３に対向して接続されるものである。具体的には、吸気口側ダクト部材６２は、図６に示すように、両側部において開口された吸気口接続開口部６２１および第１連結開口部６２２とを有し、断面視略正方形形状かつ側面視略台形形状にされた略筒状で構成される。吸気口接続開口部６２１は、第１連結開口部６２２に比して大きく開口して形成されている。また、第１連結開口部６２２には、格子状部６２３が設けられている。
【００３２】
吸気口側ダクト部材６２の内部には、断面視略正方形形状の略対角方向に延びる、仕切り壁部としての第１仕切り板部６２４が設けられている。この第１仕切り板部６２４は、吸気口側ダクト部材６２をファン側ダクト部材６３と一体化させた場合に、第２仕切り板部６３４と連なるように形成されている。
【００３３】
ファン側ダクト部材６３は、上述した吸気口側ダクト部材６２の第１連結開口部６２２と接続される第２連結開口部６３１と、シロッコファン６５，６６に接続される第１ファン接続開口部６３２および第２ファン接続開口部６３３を有した断面視略矩形形状に形成される。
【００３４】
具体的には、第２連結開口部６３１は、図示のように第１連結開口部６２２と同様な開口形状を有して、第１連結開口部６２２に連通状態で接続される。また、第１ファン接続開口部６３２および第２ファン接続開口部６３３は、接続されるシロッコファンの吸気口部６５１，６６１と同様の形状となる円形形状を有して、第１シロッコファン６５および第２シロッコファン６６に接続される（図５および図７参照）。
【００３５】
ここで、この第１ファン接続開口部６３２および第２ファン接続開口部６３３のそれぞれが設けられた面６３２Ａ，６３３Ａ同士は、略直交するようになっている。これにより、後に詳述するが、この第１ファン接続開口部６３２および第２ファン接続開口部６３３のそれぞれに対応して取り付けられている２つのシロッコファン６５，６６は、それぞれの回転軸６５Ａ，６６Ａを略直交させるように吸気口側ダクト６１に取り付けられる。
【００３６】
また、ファン側ダクト部材６３の内部には、第１ファン接続開口部６３２と第２ファン接続開口部６３３とを隔てるように、断面視略正方形形状の略対角方向に延びる、仕切り壁部としての第２仕切り板部６３４が設けられている。具体的には、第２仕切り板部６３４は、面６３２Ａ，６３３Ａ同士の間に存する内角から対角を結ぶように設けられており、第１ファン接続開口部６３２と第２ファン接続開口部６３３とを連通させない隔離した状態にしている。
【００３７】
この第２仕切り板部６３４は、上述したように、吸気口側ダクト部材６２をファン側ダクト部材６３と一体化させた場合に第１仕切り板部６２４と連なり、この第１および第２仕切り板部６２４，６３４によって、２つのシロッコファン６５，６６のそれぞれに対して、外気の流路を形成するように吸気口側ダクト６１の内部を仕切る。換言すれば、仕切り壁部としての第１および第２仕切り板部６２４，６３４は、２つのシロッコファン６５，６６に対応した第１および第２ファン接続開口部６３２，６３３に沿って、吸気口側ダクト６１の内部を仕切り、吸気口側ダクト６１内部の領域を設定している。
【００３８】
図７に示すように、第１および第２シロッコファン６５，６６のそれぞれは、性能も大きさも同一とされ、互いに鏡面対称構造（吸気口部６５１，６６１の有する面において互いに対称構造）となる構成を有する。第１および第２シロッコファン６５，６６は、ファンの回転軸６５Ａ，６６Ａ方向に吸気口部６５１，６６１を有し、ファンの回転接線方向に吐出口部６５２，６６２を有する。このようにシロッコファン６５，６６は、外気をファンの回転軸６５Ａ，６６Ａ方向から吸気し、ファンの回転接線方向に吐出する。
【００３９】
第１および第２シロッコファン６５，６６は、具体的には、略直交する面６３２Ａ，６３３Ａに設けられた第１および第２ファン接続開口部６３２，６３３にそれぞれの吸気口部６５１，６６１を接続し、ねじ部材６５３，６６３を介して、吸気口側ダクト６１に取り付けられている。なお、この第１および第２シロッコファン６５，６６の吐出口部６５２，６６２のそれぞれには、この２つのシロッコファン６５，６６からの冷却風を冷却対象に導く第１吐出側ダクト６７および第２吐出側ダクト６８が接続されている。
【００４０】
第１吐出側ダクト６７は、図４および図５に示すように、第１シロッコファン６５の吐出口部６５２と接続するダクトであって、投射レンズ３の投射方向（＋Ｚ軸方向）に延びるように形成されている。この第１吐出側ダクト６７は、光学装置４５の青色光用の液晶パネル４５１Ｂ側、および光学装置４５の緑色光用の液晶パネル４５１Ｇ側を冷却するように、上面に吹き付け開口部６７１，６７２が設けられている。
【００４１】
第２吐出側ダクト６８は、第２シロッコファン６６の吐出口部６６２と接続するダクトであって、二股形状で形成されている。具体的には、第２吐出側ダクト６８は、図４および図５に示すように、投射レンズ３の投射方向（＋Ｚ軸方向）とは交差するランプ駆動回路７方向（−Ｘ軸方向）に延びる第１ダクト６８１と、途中で投射レンズ３方向（＋Ｚ軸方向）に曲がって延びる第２ダクト６８２とを備える。第１ダクト６８１は、ランプ駆動回路７内を冷却するように、端部に開口部６８３を有し、ランプ駆動回路７の内部に連通状態で接続されている。また第２ダクト６８２は、光学装置４５の赤色光用の液晶パネル４５１Ｒ側および偏光変換素子４２３を冷却するように、上面に吹き付け開口部６８４，６８５が設けられている。
【００４２】
このように構成された冷却装置６は、図４に示すように、第１シロッコファン６５が設けられている側を、ロアーケース２２と向き合う側にして、画像投射装置Ｇに対して画像投射装置の投射方向（＋Ｚ軸方向）とは反対側（−Ｚ軸方向）の位置のロアーケース２２に取り付けられる。なお、この際、第１シロッコファン６５は取り込んだ空気を画像投射装置Ｇ側に向けて吐出するように、第２シロッコファン６６は、取り込んだ空気を投射方向（＋Ｚ軸方向）と略直交する方向に吐出するように、冷却装置６は構成されてロアーケース２２に取り付けられる。
【００４３】
このように構成された冷却装置６によれば、シロッコファン６５，６６を回転させると、冷却風として外気を、吸気口２１３から吸気し、その外気を、吸気口側ダクト６１、シロッコファン６５，６６、吐出側ダクト６７，６８を介して、冷却対象（液晶パネル４５１（４５１Ｒ，４５１Ｇ，４５１Ｂ）、ランプ駆動回路７、および偏光変換素子４２３）に吹き当て、冷却装置６は、これらの冷却対象を冷却する。
【００４４】
以上のように構成されたプロジェクタ１は、次のような作用効果を奏することができる。すなわち、このプロジェクタ１によれば、シロッコファン６５，６６を２つにすることにより、従前に比して小型に設計したシロッコファンを用いることができる。これによって、２つの第１シロッコファン６５および第２シロッコファン６６により、吸引風力（冷却能力）を維持することができながら、全体的な嵩張りを減らすことができる。
【００４５】
また、この第１シロッコファン６５および第２シロッコファン６６は、互いの回転軸６５Ａ，６６Ａを略直交させるように配置されて吸気口側ダクト６１に取り付けられているので、それぞれの方向に対して嵩張りを分散させることができながら、冷却風としての外気を様々な方向に向けて吐出することができる。
【００４６】
したがって、プロジェクタ１全体の小型化を図ることができながら、内蔵される冷却対象である、光学装置４５の入射側偏光板４５２および射出側偏光板４５３を含む液晶パネル４５１（４５１Ｒ，４５１Ｇ，４５１Ｂ）側、ランプ駆動回路７、および偏光変換素子４２３を、効率的に冷却することができる。
【００４７】
また、このプロジェクタ１によれば、冷却装置６は、画像投射装置Ｇに対して画像投射装置の投射方向（＋Ｚ軸方向）とは反対側（−Ｚ軸方向）の位置に配設され、第１シロッコファン６５は取り込んだ空気を画像投射装置Ｇ側に向けて吐出するように配設され、第２シロッコファン６６は取り込んだ空気を投射方向（＋Ｚ軸方向）と略直交する方向に吐出するように配設されているので、第１シロッコファン６５によって発生させた冷却風を、冷却対象となる画像投射装置Ｇの光学装置４５側に導き易いものにし、第２シロッコファン６６によって発生させた冷却風を、投射方向（＋Ｚ軸方向）と略直交する方向に存する冷却対象となるランプ駆動回路７側に導き易いものにする。これによって、冷却風を導くためのダクトの嵩みを減らすことができ、プロジェクタ１全体の小型化を図ることができる。
【００４８】
また、このプロジェクタ１によれば、投射位置調整装置３１を備えるプロジェクタ１においては、投射レンズ３の周囲に投射位置調整装置３１が配置されているので投射レンズ３の周囲に冷却装置６を配置するとプロジェクタ１が大型化してしまう。上記構成とすることにより、投射位置調整装置を備えるプロジェクタであっても、プロジェクタ１全体の小型化を図ることができる。
【００４９】
また、このプロジェクタ１によれば、吸気口側ダクト６１の内部には、２つのシロッコファン６５，６６のそれぞれに対しての流路を形成する仕切り板部６２４，６３４が設けられているので、第１シロッコファン６５は、光学装置４５の赤色光用の液晶パネル４５１Ｒ側、および光学装置４５の緑色光用の液晶パネル４５１Ｇ側を冷却するようにでき、第２シロッコファン６６は、ランプ駆動回路７内、光学装置４５の青色光用の液晶パネル４５１Ｂ側および偏光変換素子４２３を冷却するようにできる。これによって、これらの冷却対象のそれぞれに対して、風量を好適に分散させることができて、より効率的に冷却することができる。
【００５０】
なお、本発明に係るプロジェクタは、上述の実施の形態に限定されるものではなく、本発明の趣旨を逸脱しない範囲において、適宜に選択変更して構成されるものであってもよい。
例えば、上述の実施形態においては、第１ファン接続開口部６３２および第２ファン接続開口部６３３のそれぞれに対応して取り付けられている２つのシロッコファン６５，６６は、それぞれの回転軸６５Ａ，６６Ａ同士を略直交させるように吸気口側ダクト６１に取り付けられていたが、面６３２Ａ，６３３Ａ同士を互いに交差するように設定し、２つのシロッコファン６５，６６はそれぞれの回転軸６５Ａ，６６Ａ同士を交差させるように取り付けてられていても良い。上述の実施形態と同様に嵩張りを分散させることができながら、冷却風としての外気を様々な方向に向けて吐出することができるという効果を有する。
【００５１】
また、上述の実施形態においては、液晶パネル４５１を３つ備えた、いわゆる三板式のプロジェクタを例に挙げて説明するものであった。しかしながら、本発明に係るプロジェクタは、これに限定されるものではなく、液晶パネルを１つ備える単板式のプロジェクタや、液晶パネルを２つ備えるプロジェクタや、液晶パネルを４つ以上備えるプロジェクタとして構成されるものであっても、何ら問題の無いものとされる。
【００５２】
また、上述の実施形態においては、光入射面と光射出面とが異なる透過型の液晶パネルを用いて構成されるものであったが、光入射面と光射出面とが同一となる反射型の液晶パネルを用いて構成してもよい。また、上述の実施形態では、光変調装置として液晶パネルを用いていたが、マイクロミラーを用いたデバイスなど、液晶パネル以外の光変調装置を用いてもよい。この場合は、光束入射側および光束射出側の偏光板４５２，４５３を省略することができる。
【産業上の利用可能性】
【００５３】
本発明に係るプロジェクタは、プロジェクタ全体の小型化を図ることができ、さらに、内蔵される冷却対象を効率的に冷却することができるので、持ち運びに優れたプロジェクタとして利用することができる。
【図面の簡単な説明】
【００５４】
【図１】本発明に係るプロジェクタの外観を模式的に示す外観模式図。
【図２】プロジェクタの内部を示す内部斜視図。
【図３】プロジェクタの光学ユニットについて模式的に示す模式図。
【図４】プロジェクタの内部を示す内部斜視図。
【図５】冷却装置を示す斜視図。
【図６】吸気口側ダクトを示す分解斜視図。
【図７】吸気口側ダクトおよびシロッコファンを示す分解斜視図。
【符号の説明】
【００５５】
１…プロジェクタ，２…外装筐体，３…投射レンズ，４…光学ユニット，５…電源ユニット，６…冷却装置，７…ランプ駆動回路，８…排気ファンユニット，２１…アッパーケース，２２…ロアーケース，４１…光源装置，６１…吸気口側ダクト，６２…吸気口側ダクト部材，６３…ファン側ダクト部材，６５…第１シロッコファン，６６…第２シロッコファン，６５Ａ…第１シロッコファンの回転軸，６５Ｂ…第２シロッコファンの回転軸，６７…第１吐出側ダクト，６８…第２吐出側ダクト，２１３…吸気口，４２３…偏光変換素子，４５１…液晶パネル，４５２…入射側偏光板，４５３…射出側偏光板，６２４…第１仕切り板部，６３４…第２仕切り板部，Ｇ…画像投射装置
【図１】
2008242135.tif 000003
【図２】
2008242135.tif 000004
【図３】
2008242135.tif 000005
【図４】
2008242135.tif 000006
【図５】
2008242135.tif 000007
【図６】
2008242135.tif 000008
【図７】
2008242135.tif 000009
【手続補正書】
【提出日】平成20年6月10日(2008.6.10)
【手続補正１】
【補正対象書類名】明細書
【補正対象項目名】００２０
【補正方法】変更
【補正の内容】
【００２０】
投射レンズ３は、具体的な図示を省略するが、複数のレンズと、この複数のレンズを収
納する筒状の鏡筒とで構成され、光学ユニット４により形成されたカラー画像を拡大投射
する。投射レンズ３は、前記複数のレンズを投射方向（＋Ｚ軸方向）と直交する平面内で
移動させて投射される光学像の位置を調整する投射位置調整装置３１を備える。また、鏡
筒は、筒状軸を中心として回転することで前記複数のレンズの相対位置を変更可能に構成
され、筒状軸を回転させる画像調整部３３を備える。
【手続補正２】
【補正対象書類名】図面
【補正対象項目名】図７
【補正方法】変更
【補正の内容】
【図７】
2008242135.tif 000010